(57)【要約】【課題】日本語の殆ど全ての複合助動詞を一度で入力出来る予測入力方式および予測入力方法を提供する。【解決手段】文字の入力を行う入力装置１０１と、日本人が入力する可能性のある全ての複合助動詞を記録するデータベース１０３と、入力装置１０１により入力された文字とデータベース１０３に記憶されたデータより最終的に入力される複合助動詞を予測する予測入力装置１０４と、予測入力装置１０４により予測された複合助動詞の候補一覧を表示する表示装置１０５とを有し、入力途中のデータから入力される可能性のある日本語の殆ど全ての複合助動詞の予測候補を表示することを特徴とする。【選択図】図１
2012059239.tif 000002
【特許請求の範囲】
【請求項１】
文字の入力を行う入力装置と、日本語の大量の複合助動詞を記憶する複合助動詞データベースと、前期入力装置から入力された文字列と、前記データベースに記憶された複合助動詞データより最終的に入力される複合助動詞を予測する予測装置と、前記予測装置により予測された複合助動詞の候補一覧を表示する表示装置とを有し、日本語の殆ど全ての複合助動詞を一度で入力出来ることを特徴とする予測入力装置。
【請求項２】
前記データベースは、予め日本語文法規則と個別の助動詞の意味の組み合わせに基づく連接可否規則に基づいて、発話される可能性のある殆ど全ての日本語複合助動詞を記憶する事を特徴とする請求項１に記載の予測入力装置。
【請求項３】
前記連接可否規則は、一つの複合助動詞内に同じ助動詞が二回以上現れないことと、類似の意味を持つ複数の助動詞が存在しないことと、相互に矛盾する意味を持つ複数の助動詞が存在しないことを特徴とする請求項２に記載の予測入力装置。
【請求項４】
文字の入力を行う入力手段と、日本語の大量の複合助動詞を記憶する複合助動詞データベースと、前期入力手段から入力された文字列と、前記データベースに記憶された複合助動詞データより最終的に入力される複合助動詞を予測する予測手段と、前記予測手段により予測された複合助動詞の候補一覧を表示する表示手段とを有し、日本語の殆ど全ての複合助動詞を一度で入力出来ることを特徴とする予測入力方式。
【請求項５】
前記データベースは、予め日本語文法規則と個別の助動詞の意味の組み合わせに基づく連接可否規則に基づいて、発話される可能性のある殆ど全ての日本語複合助動詞を記憶する事を特徴とする請求項４に記載の予測入力方式。
【請求項６】
前記連接可否規則は、一つの複合助動詞内に同じ助動詞が二回以上現れないことと、類似の意味を持つ複数の助動詞が存在しないことと、相互に矛盾する意味を持つ複数の助動詞が存在しないことを特徴とする請求項５に記載の予測入力方式。
【発明の詳細な説明】
【技術分野】
【０００１】  本発明は、日本語の殆ど全ての複合助動詞を一度で入力出来る予測入力装置および予測入力方法に関する。
【背景技術】
【０００２】  携帯電話のような少ないボタンで日本語を入力する装置には、入力の簡素化のために、最初に入力された一つ又は複数の平仮名を発音の先頭に持つ単語群を列挙する予測入力機能が搭載されている。しかし、例えば「そうでないらしい」といった複合助動詞を入力しようして「そう」と入力すると、該当する単語群と並んで複合助動詞に関しては、例えば「そうで」までしか入力候補の単語として表示されない場合が多い。【０００３】  しかし、日本語では複合助動詞が使われるケースは多い。複合助動詞とは、例えば「せたがらなかった」のような複数の助動詞が繋がった表現を指す。この例では「せ」（使役）＋「たがら」（希望）＋「なかっ」（否定）＋「た」（過去）の四つの助動詞が組み合わさっている。【０００４】  しかし、現在の携帯電話の入力装置では、上記「せたがらなかった」を入力しようとすると、少なくとも「せ」「たがら」「なかった」の三回の入力を繰り返さなければならない。「なかった」は二つの助動詞から成る複合助動詞だが、このレベルでは現在の予測入力装置でも用意されている事がある。しかし、三語以上の複合助動詞になると、登録されている例は殆ど見当たらない。
【発明の概要】
【発明が解決しようとする課題】
【０００５】  上記事情を鑑みて、本発明では、入力途中の文字列から、それを先頭に持ち得る全ての複合助動詞の候補を提示し、一回の入力操作でどんな複合助動詞でも入力出来る予測入力装置及び予測入力方法を提供することを目的とする。
【課題を解決するための手段】
【０００６】  上記目的を達成するため、本発明の態様は、文字の入力を行う入力装置と、日本語の大量の複合助動詞を記憶する複合助動詞データベースと、前期入力装置から入力された文字列と、前記データベースに記憶された複合助動詞データより最終的に入力される複合助動詞を予測する予測装置と、前記予測装置により予測された複合助動詞の候補一覧を表示する表示装置とを有するものである。【０００７】  さらに、前記複合助動詞データベースは、予め日本語文法規則と個別の助動詞の意味の組み合わせに基づく連接可否規則に基づいて生成された大量の複合助動詞をデータとして保持するものである。この日本語文法規則とは、或る助動詞、例えば希望を表す「たい」は他の動詞や助動詞等の連用形にしか接続しない、といった規則を指す。【０００８】  また、様々な助動詞には、例えば「〜しそうだ」と言うときの「そうだ」（様態）と、「〜するようだ」と言うときの「ようだ」（比況）のように意味の類似するものがあり、これらを混ぜて使う必要性は乏しい。「らしかったろう」のように、推定の助動詞と推量の助動詞が混ざるのも同様である。また、「た」（過去）を使った後に「なかったようだった」のように、もう一度、過去の助動詞を使う事も意味がない。【０００９】  さらに、伝聞の意味の「そうだ」に、否定の「ない」を付けて「そうでない」とするのも意味的におかしい。この「そうで」が様態の意味で用いられていれば、あり得る複合助動詞となる。【００１０】  このように、日本語文法規則では単に或る助動詞と別の助動詞の連接は活用形でしか定められていないが、意味の観点からあり得る複合助動詞の続き方を大幅に制限することが可能となる。【００１１】  本発明における複合助動詞の連接可否規則は、このような意味による連接の制限を多数備えるもので、無意味な複合助動詞の繋がりを無くす働きがある。【００１２】  実際に、日本語文法規則だけで計算機により複合助動詞を生成すると、いくらでも連接が可能となり、複合助動詞の数は、組み合わせ爆発的に増加してしまい、データベースを作成することは不可能となる。【００１３】  本発明における複合助動詞の連接可否規則を用いると、複合助動詞は最長でも六種類の異なる助動詞の繋がりに収まった。その例は「させたがらないようだったそうで」（使役＋希望＋否定＋様態＋過去＋伝聞）である。二〜六種類の複合助動詞の総数は１２３４語で、意味の無い重複しか排除していないため、この中に日本語として使われる可能性のある複合助動詞は全て網羅されていると考えることが出来る。
【発明の効果】
【００１４】  本発明の効果は、使用される可能性のある全ての日本語の複合助動詞を予測入力候補として提示することで、効率的な日本語入力が可能となる。
【図面の簡単な説明】
【００１５】
【図１】本実施形態に係る複合助動詞の予測入力方式の構成図である。
【図２】実施例に係るフローチャートである。
【発明を実施するための形態】
【００１６】  入力された平仮名の文字列を先頭に持つ複合助動詞の入力候補を表示する際、既に入力された文字列の長さに応じて、入力候補を表示する。例えば、助動詞一語分が入力されたら、その助動詞を先頭に持つ助動詞三語以内の入力候補のみ表示し、二語目が入力されたら助動詞四語分までの入力候補を切り替えて表示する。このような方法で、一度に大量の入力候補を表示する事を避け、ユーザが入力候補の一覧を見渡せるようにする事で、効率的な日本語の入力を図る。
【実施例】
【００１７】  本実施形態に係る複合助動詞の予測入力方式の構成を図１に示す。本方式では文字の入力を行う入力装置（１０１）と制御装置（１０２）、日本語の大量の複合助動詞を記憶する複合助動詞データベース（１０３）と、入力途中の文字列と複合助動詞データベース（１０３）のデータを比較して、最終的に入力されると予測される複合助動詞の候補を予測する予測入力装置（１０４）と、入力途中の文字列と複合助動詞の入力候補を表示する表示装置（１０５）を有する。【００１８】  次に、図２のフローチャートを参照して本実施例の全体の動作について詳細に説明する。【００１９】  まず、ユーザは、入力装置（１０１）により仮名を入力し（２０１）する。制御装置（１０２）は予測入力装置（１０４）に入力途中の平仮名文字列を送る。【００２０】  予測入力装置（１０４）は、受け取った入力途中の文字列が助動詞であるかを判定し（２０２）、助動詞であればいくつの助動詞から成る複合助動詞であるかを判定し、助動詞の語数Ｎを記録する（２０３）。助動詞でなければ処理を終わる。【００２１】  予測入力装置（１０４）は、Ｎが４以下の場合（２０４）は、複合助動詞データベース（１０３）から、入力された助動詞を先頭に持ち、Ｎ＋２語から成る複合助動詞の全てを検索して、該当する複合助動詞を予測候補として表示装置（１０５）に送る（２０５）。Ｎが５であれば（２０６）、複合助動詞データベース（１０３）から、入力された助動詞を先頭に持ち、Ｎ＋１語から成る複合助動詞の全てを検索して、該当する複合助動詞を予測候補として表示装置（１０５）に送る（２０７）。Ｎが６である場合には検索をせず、入力された複合助動詞をそのまま表示装置に送る（２０８）。【００２２】  予測候補となる複合助動詞群を受け取った表示装置（１０５）は、それらを表示して処理を終わる（２０９）。【００２３】  なお、上記形態は本発明の好適なものの一例であって、本発明の要旨を変更しない範囲において、種々変更することが可能である。また、上記形態は複合助動詞に係る処理の場合を述べたものであって、実際に使用するに当たっては、通常の日本語全般に係る予測入力装置と組み合わせて使用するものである事は言うまでもない。
【産業上の利用可能性】
【００２４】  本発明は、およそ日本語入力を用いるあらゆるシステムに応用可能であり、幅広い産業上利用性を有する。
【符号の説明】
【００２５】  １０１  入力装置
１０２  制御装置
１０３  データベース
１０４  予測入力装置
１０５  表示装置
【図１】
2012059239.tif 000003
【図２】
2012059239.tif 000004